(57)【要約】【課題】ピックアップローラの上昇処理を適切に行う画像読取装置を提供する。【解決手段】原稿トレイの原稿をピックアップローラによりピックアップして原稿を光学的に読み取る画像読取部まで給送する原稿給送部を取付可能な画像読取装置では、原稿給送部が画像読取装置に対して開閉可能に取り付けられている場合に、原稿給送部の画像読取装置に対する開閉動作による衝撃の程度を判定する。その判定された衝撃の程度に応じて、原稿の給送開始前のピックアップローラの位置制御処理の実行を制御する。【選択図】図６
2017022618.tif 000002
【特許請求の範囲】
【請求項１】
原稿トレイの原稿をピックアップローラによりピックアップして原稿を光学的に読み取る画像読取部まで給送する原稿給送部を取付可能な画像読取装置であって、
前記原稿給送部が前記画像読取装置に対して開閉可能に取り付けられている場合に、前記原稿給送部の前記画像読取装置に対する開閉動作による衝撃の程度を判定する判定手段と、
前記判定手段により判定された前記衝撃の程度に応じて、前記原稿の給送開始前の前記ピックアップローラの位置制御処理の実行を制御する制御手段と、
を備えることを特徴とする画像読取装置。
【請求項２】
前記判定手段は、前記開閉動作の速度に基づいて前記衝撃の程度を判定することを特徴とする請求項１に記載の画像読取装置。
【請求項３】
前記原稿給送部はヒンジ機構により前記画像読取装置に対して開閉可能に取り付けられており、
前記判定手段は、前記原稿給送部の前記画像読取装置に対する開閉角度に基づいて前記衝撃の程度を判定することを特徴とする請求項２に記載の画像読取装置。
【請求項４】
前記判定手段は、前記開閉角度が第１の角度から第２の角度に変化するまでの時間に基づいて前記衝撃の程度を判定することを特徴とする請求項３に記載の画像読取装置。
【請求項５】
前記判定手段は、前記時間が閾値よりも短いか否かを判定し、
前記制御手段は、前記判定手段により前記時間が前記閾値より短いと判定された場合に、前記原稿の給送開始前の前記ピックアップローラの位置制御処理の実行を行う、ことを特徴とする請求項４に記載の画像読取装置。
【請求項６】
前記制御手段は、前記判定手段により前記時間が前記閾値以上であると判定された場合に、前記原稿の給送開始前の前記ピックアップローラの位置制御処理の実行を行わない、ことを特徴とする請求項５に記載の画像読取装置。
【請求項７】
前記開閉角度を検知するためのセンサ、をさらに備えることを特徴とする請求項３乃至６のいずれか１項に記載の画像読取装置。
【請求項８】
前記制御手段は、前記ピックアップローラの位置制御手段を実行する場合には、前記ピックアップローラの位置を前記原稿トレイに設置されている原稿よりも上方に位置させることを特徴とする請求項１乃至７のいずれか１項に記載の画像読取装置。
【請求項９】
前記原稿給送部は、
前記ピックアップローラの位置が前記原稿トレイに設置されている原稿よりも上方に位置する動作と連動して当該原稿の先端を規制するように構成されているストッパー、を備えることを特徴とする請求項８に記載の画像読取装置。
【請求項１０】
前記制御手段による前記ピックアップローラの位置制御処理の実行の制御の後、原稿の読取のためのジョブを実行するジョブ実行手段、をさらに備えることを特徴とする請求項１乃至９のいずれか１項に記載の画像読取装置。
【請求項１１】
請求項１乃至１０のいずれか１項に記載の画像読取装置と、
記録媒体に印刷を行う印刷手段と、
を備える画像形成装置。
【請求項１２】
原稿トレイの原稿をピックアップローラによりピックアップして原稿を光学的に読み取る画像読取部まで給送する原稿給送部を取付可能な画像読取装置において実行可能な制御方法であって、
前記原稿給送部が前記画像読取装置に対して開閉可能に取り付けられている場合に、前記原稿給送部の前記画像読取装置に対する開閉動作による衝撃の程度を判定する判定工程と、
前記判定工程において判定された前記衝撃の程度に応じて、前記原稿の給送開始前の前記ピックアップローラの位置制御処理の実行を制御する制御工程と、
を有することを特徴とする制御方法。
【発明の詳細な説明】
【技術分野】
【０００１】
本発明は、自動原稿給送装置を備える画像読取装置、制御方法、並びに、画像形成装置に関する。
【背景技術】
【０００２】
従来、スキャナ等の画像読取装置の原稿給送部（ＡＤＦ）に備えられた原稿を分離搬送する為のピックアップローラは、ユーザが原稿トレイに原稿をセットしやすいように上昇した位置に待機している。ここで、ユーザが原稿給送部の開閉動作を行う際、ユーザが原稿給送部を閉めた時の衝撃により、上昇した位置にあるピックアップローラが落下してしまうことがある。ピックアップローラが落下すると、ユーザによる原稿トレイへの原稿のセット動作の障害となる。
【０００３】
また、原稿先端位置を規制するシャッター（ストッパーともいう）が、ピックアップローラ上昇時にのみシャッターロック部材によってロックされるように構成されている場合、ピックアップローラが下降した位置にあるとシャッターがロックされない。従って、ピックアップローラが落下したことにより、原稿先端位置がシャッターによって規制されないため、複数枚の原稿がシャッターより搬送方向下流にある、原稿の分離を行う分離ローラとリタ-ドローラのニップ位置に入ってしまう。その結果、上記２つのローラに接触しない原稿（原稿束の中間の原稿）が分離できず、分離不良を発生させることから、給紙不良や重送が生じやすくなる。
【０００４】
特許文献１には、ユーザが原稿給送部を閉めたことを検出し、ピックアップローラを上昇させることが記載されている。
【先行技術文献】
【特許文献】
【０００５】
【特許文献１】特開２００５−２７７５３３号公報
【発明の概要】
【発明が解決しようとする課題】
【０００６】
しかしながら、特許文献１では、ユーザがゆっくり原稿給送部を閉めたときなど、衝撃によってピックアップローラが落下していない場合でも、不要な上昇処理を行うことになる。その結果、上昇処理時の音が発生したり、上昇処理完了後にジョブを受け付ける場合にはジョブの開始時間が遅くなってしまう。
【０００７】
本発明の目的は、このような従来の問題点を解決することにある。上記の点に鑑み、本発明は、ピックアップローラの上昇処理を適切に行う画像読取装置、制御方法、並びに、画像形成装置を提供することを目的とする。
【課題を解決するための手段】
【０００８】
上記課題を解決するため、本発明に係る画像読取装置は、原稿トレイの原稿をピックアップローラによりピックアップして原稿を光学的に読み取る画像読取部まで給送する原稿給送部を取付可能な画像読取装置であって、前記原稿給送部が前記画像読取装置に対して開閉可能に取り付けられている場合に、前記原稿給送部の前記画像読取装置に対する開閉動作による衝撃の程度を判定する判定手段と、前記判定手段により判定された前記衝撃の程度に応じて、前記原稿の給送開始前の前記ピックアップローラの位置制御処理の実行を制御する制御手段とを備えることを特徴とする。
【発明の効果】
【０００９】
本発明によれば、ピックアップローラの上昇処理を適切に行うことができる。
【図面の簡単な説明】
【００１０】
【図１】画像読取装置の外観を示す図である。
【図２】ＡＤＦの構成を示す図である。
【図３】ピックアップローラとストッパーの位置を示す図である。
【図４】ヒンジ部周辺の構成を示す図である。
【図５】画像読取装置の制御部の構成を示す図である。
【図６】ＡＤＦの衝撃度の検出処理の手順を示すフローチャートである。
【図７】ピックアップローラの上昇処理の手順を示すフローチャートである。
【図８】ＭＦＰの構成を示す図である。
【発明を実施するための形態】
【００１１】
以下、添付図面を参照して本発明の実施形態を詳しく説明する。尚、以下の実施例は特許請求の範囲に係る本発明を限定するものでなく、また本実施例で説明されている特徴の組み合わせの全てが本発明の解決手段に必須のものとは限らない。なお、同一の構成要素には同一の参照番号を付して、説明を省略する。
【００１２】
図１は、本実施形態における画像読取装置の外観を示す図である。画像読取装置１００は、コンタクトガラス１０５上に置かれた原稿、もしくは原稿給送装置（ＡＤＦ）１０２から順次給送される原稿を光学的に読み取る画像読取部１０１（スキャナ）を含む。ＡＤＦ１０２は、画像読取部１０１に対して取付可能な装置であり、図１は、取り付けられた状態を示している。ＡＤＦ１０２は、奥側に設けられたヒンジ部１０６のヒンジ機構により、画像読取部１０１に対して開閉可能である。
【００１３】
イメージセンサユニット１０３は、読取ガラス１０４の下方に位置し、ＣＣＤ等の受光センサ及びＬＥＤ等の光源が、ＡＤＦ１０２からの原稿搬送方向（副走査方向）と交差する方向（主走査方向）に構成されたライン型読取センサである。イメージセンサユニット１０３は、各受光センサが原稿からの反射光を受光して出力した読取信号をライン方向（主走査方向）に合算したデータを原稿の読取データとして生成する。イメージセンサユニット１０３により生成された読取データは、ＲＡＭ５０２等の記憶領域に格納される。イメージセンサユニット１０３は、ＡＤＦ１０２から給送される原稿を読み取る場合には、図１に示すように、所定の位置で読取を行う。また、コンタクトガラス１０５上に置かれた原稿を読み取る場合には、イメージセンサユニット１０３は、副走査方向に移動することにより、原稿の読取を行う。画像読取部１０１は、イメージセンサユニット１０３の副走査方向の往復移動を可能とするためのモータやベルト等の機構を含む。
【００１４】
図２は、ＡＤＦ１０２（原稿給送部）の構成を示す図である。原稿トレイ２０１は、複数枚の原稿Ｄを積載可能である。サイドガイド２０２は、積載された原稿束の幅をＡ４サイズ等、所定幅に規定する。ピックアップローラ２０３は、原稿トレイ２０１に積載された原稿ＤをＡＤＦ１０２内部に給送する。分離ローラ２０６及び分離パッド２０７は、ピックアップローラ２０３により給送される原稿Ｄを１枚ずつ分離する。搬送ローラ対２１１は、給送されてきた原稿Ｄの先端を突き当て動作等により揃えて原稿読取位置２１３に搬送する。原稿読取位置２１３の下方には、イメージセンサユニット１０３及び読取ガラス１０４が位置している。排出ローラ対２１４は、読取が終了した原稿Ｄを排出部２１５に排出する。
【００１５】
ストッパー２０５は、原稿トレイ２０１に積載された原稿束の先端位置を規定する。ストッパー２０５の原稿搬送方向の上流側には、原稿検知センサ２１６が構成されている。原稿検知センサ２１６は、原稿トレイ２０１上に積載されている原稿Ｄを検知し、ＣＰＵ５０１は、その検知信号に基づいて、原稿トレイ上の原稿Ｄの存在を検出することができる。ストッパー２０５の原稿搬送方向の下流側に、分離ローラ２０６及び分離パッド２０７が位置し、原稿搬送方向の上流側に、ピックアップローラ２０３が位置する。なお、ストッパーは、シャッターと言われる場合もある。
【００１６】
分離ローラ２０６は、分離クラッチ２０８を介して、搬送モータ２１０に接続可能に構成されている。また、分離ローラ２０６は、ストッパー２０５に駆動連結されている。また、分離ローラ２０６は、アーム部材２０４を介してピックアップローラ２０３に駆動連結されている。つまり、このような構成により、分離クラッチ２０８により搬送モータ２１０と分離ローラ２０６とを接続し、搬送モータ２１０が分離ローラ２０６を駆動することにより、ストッパー２０５とピックアップローラ２０３を操作することができる。搬送モータ２１０は、分離クラッチ２０９を介して、搬送ローラ対２１１にも接続可能に構成されている。
【００１７】
図３（ａ）（ｂ）は、ピックアップローラ２０３とストッパー２０５の位置を示す図である。図３（ａ）は、ピックアップローラ２０３が上方位置にある場合を示し、図３（ｂ）は、ピックアップローラ２０３が下方位置にある場合を示す。
【００１８】
ピックアップローラ２０３は、ユーザによる原稿Ｄのセット作業を阻害しないように、図３（ａ）に示す位置をホームポジションとする。原稿Ｄの給送開始前にピックアップローラ２０３がホームポジションにある場合、ストッパー２０５は、ピックアップローラ２０３の位置に連動して、原稿Ｄの先端位置を規定するために原稿搬送路を遮るような位置に置かれ、ロック部材３０１により固定される。図３（ａ）に示す状態から、原稿Ｄの給送動作が開始すると、分離ローラ２０６は、分離クラッチ２０８を介して搬送モータ２１０に接続される。そして、搬送モータ２１０は、ピックアップローラ２０３を下降させ、図３（ｂ）に示すように、原稿Ｄの上面に当接させる。そのとき、ストッパー２０５は、上昇して原稿搬送動作を遮らない位置に移動される。図３（ｂ）に示す状態から、再度、図３（ａ）に示す状態とする場合には、ＣＰＵ５０１は、搬送モータ２１０を原稿Ｄの給送時とは逆回転に駆動する。その結果、アーム部材２０４が逆回転してピックアップローラ２０３が上昇する。以上のように、ピックアップローラ２０３の位置制御処理が行われる。
【００１９】
再び、図２を参照する。搬送ローラ対２１１の原稿搬送方向の上流側には、搬送センサ２１２が構成されている。例えば、ＣＰＵ５０１は、搬送センサ２１２の検知信号に基づいて、原稿Ｄが搬送ローラ対２１１まで搬送されてきたかを判定する。原稿Ｄが搬送ローラ対２１１まで搬送されてきたと判定された場合、原稿Ｄの先端をニップ部に突き当てて原稿Ｄの形状に撓みを生じさせることにより原稿Ｄの先端揃えを行う。その後、分離クラッチ２０９は、搬送モータ２１０と搬送ローラ対２１１とを接続する。搬送モータ２１０は、搬送ローラ対２１１を駆動することにより、原稿Ｄを原稿読取位置２１３まで搬送する。搬送ローラ対２１１により原稿Ｄが原稿読取位置２１３上を搬送するとともに、イメージセンサユニット１０３は、原稿Ｄを光学的に読み取る。
【００２０】
搬送ローラ対２１１から原稿読取位置２１３を介して原稿搬送方向の下流側には、反転排出部２１８を構成する反転排出ローラ対２１４が構成されている。反転排出ローラ対２１４は、離間ソレノイド２１７により接離可能である。反転排出ローラ対２１４の原稿搬送方向の下流側には、排出トレイ２１５が構成されている。
【００２１】
反転排出ローラ対２１４は、原稿読取位置２１３上を搬送され読取が完了した原稿Ｄを排出トレイ２１５上に排出する。また、原稿Ｄの両面読取の場合には、反転排出ローラ対２１４は、原稿Ｄをスイッチバックして反転路を介して、再度、搬送ローラ対２１１まで搬送する。
【００２２】
図４は、ＡＤＦ１０２の開閉動作を支持するヒンジ部１０６周辺の構成を示す図である。ＡＤＦ１０２は、ヒンジ部１０６で支持されており、コンタクトガラス１０５上に設置された原稿が移動しないように原稿を押圧可能である。画像読取部１０１は、ＡＤＦ１０２の開閉動作の角度（図４内の矢印）を検知可能な開閉センサを含む。開閉センサは、図４に示す２つの角度検知センサ４０２及び４０３と、フラグ４０１とを含み、ＡＤＦ１０２の画像読取装置１００に対する複数の開閉角度を検知可能である。例えば、本実施形態では、２つの角度検知センサ４０２及び４０３の状態と、フラグ４０１とから、角度０〜５度、５〜１５度、１５〜２５度、２５度以上の４種類をＡＤＦ１０２の開閉状態として検知可能である。
【００２３】
例えば、角度検知センサ４０２がオフ（非検知）であり、角度検知センサ４０３がオン（検知）である場合には、ＣＰＵ５０１は、ＡＤＦ１０２の開閉角度は０〜５度であると判定する。また、角度検知センサ４０２がオンであり、角度検知センサ４０３がオンである場合には、ＣＰＵ５０１は、ＡＤＦ１０２の開閉角度は５〜１５度であると判定する。また、角度検知センサ４０２がオンであり、角度検知センサ４０３がオフである場合には、ＣＰＵ５０１は、ＡＤＦ１０２の開閉角度は１５〜２５度であると判定する。また、角度検知センサ４０２がオフであり、角度検知センサ４０３がオフである場合には、ＣＰＵ５０１は、ＡＤＦ１０２の開閉角度は２５度以上であると判定する。
【００２４】
本実施形態では、このように、複数のセンサにより、ＡＤＦ１０２の開閉状態を検知しているが、単一のセンサによりＡＤＦ１０２の開閉状態を検知するようにしても良い。また、所定の角度単位でのＡＤＦ１０２の開閉状態を判定しているが、連続的な値として検知し、予め定められた閾値と比較することにより、ＡＤＦ１０２の開閉状態を判定するようにしても良い。
【００２５】
図５は、画像読取装置１００の制御部の構成を示す図である。制御部は、例えば、画像読取装置１００のマザーボード上に構成される。ＣＰＵ５０１は、画像読取装置１００を統括的に制御し、画像読取装置１００の各機能を実行する。また、時間や時刻を計測するためのタイマーも有する。ＲＡＭ５０２は、ＣＰＵ５０１のワークエリアや各種データの一時的な記憶領域としても用いられる。ＲＯＭ５０３は、画像読取装置１００を動作させるためのファームウェアや、ファームウェアを制御するためのプログラムを記憶しており、ＣＰＵ５０１により読み出されて実行可能である。本実施形態の動作は、例えば、ＣＰＵ５０１によりＲＯＭ５０３に記憶されたプログラムがＲＡＭ５０２に読み出されて実行されることにより実現される。
【００２６】
衝撃度検出部５０５は、ユーザがＡＤＦ１０２を閉じたときの、ＡＤＦ１０２と画像読取部１０１との接触時の衝撃の程度を検出する。本実施形態では、ＣＰＵ５０１は、角度検知センサ４０２及び４０３の検知信号に基づいて、ＡＤＦ１０２の開閉角度を判定する。そして、ＣＰＵ５０１は、例えば、開閉角度１５度から５度といった所定の２つの開閉角度間の検知時間の差に基づいて、衝撃の程度を検出する。つまり、ＣＰＵ５０１は、その検知時間の差が大きいほど、ユーザの開閉速度は遅いと判定し、衝撃の程度は小さいと判定する。一方、ＣＰＵ５０１は、その検知時間の差が小さいほど、ユーザの開閉速度は速いと判定し、衝撃の程度は大きいと判定する。
【００２７】
分離クラッチ５０４は、図２の分離クラッチ２０８及び２０９に対応する。また、搬送モータ５０６は、図２の搬送モータ２１０に対応する。表示部５０７は、例えばＬＣＤディスプレイであり、電源状態等の装置情報や、各機能の設定情報等をユーザインタフェース画面として表示する。また、画面上でのユーザのタッチ操作等を受け付けることもできる。操作部５０８は、ハードウェアキー等を備え、ユーザの操作指示を受け付ける。システムバス５０９は、ＣＰＵ５０１から操作部５０８の各ブロックを相互に通信可能に接続する。
【００２８】
また、図５には、画像読取装置１００の実行可能な機能に応じて、不図示のブロックがシステムバス５０９に接続される。例えば、外部インタフェース部により、ＬＡＮ等の外部ネットワークに接続された情報処理装置から、ジョブを受信する場合がある。例えば、スキャンジョブを受信した場合には、ＣＰＵ５０１は、スキャンジョブを実行して、画像読取部１０１を制御して原稿の読取を行い、読取データを生成する。ＣＰＵ５０１は、スキャンジョブの設定に応じて、不図示の画像処理部により、読取データに対してガンマ補正等、各種の画像処理を実行する。また、ＣＰＵ５０１は、原稿の読取を行って生成された読取データを外部インタフェース部及びネットワークを介して予め定められた情報処理装置に送信する、いわゆるプッシュスキャン動作を行う場合もある。
【００２９】
図６は、本実施形態におけるＡＤＦ１０２の衝撃度の検出処理の手順を示すフローチャートである。Ｓ１０１において、ＣＰＵ５０１は、ＡＤＦ１０２が開閉角度２５度以上の状態であることを検出している。そして、Ｓ１０２において、ＣＰＵ５０１は、角度検知センサ４０２及び４０３の検知信号に基づいて、ＡＤＦ１０２の開閉角度が１５度になったか否かを判定する。ここで、開閉角度が１５度になっていないと判定された場合にはＳ１０２の処理を繰り返し、開閉角度が１５度になったと判定された場合には、Ｓ１０３に進む。開閉角度が１５度になったと判定された場合とは、つまり、ユーザがＡＤＦ１０２を閉じているということである。Ｓ１０３において、ＣＰＵ５０１は、タイマーにより、ＡＤＦ１０２が画像読取部１０１と接触する際の衝撃度を検出するためのカウント（計測）を開始する。
【００３０】
Ｓ１０４において、ＣＰＵ５０１は、角度検知センサ４０２及び４０３の検知信号に基づいて、ＡＤＦ１０２の開閉角度が５度になったか否かを判定する。ここで、開閉角度が５度になっていないと判定された場合にはＳ１０４の処理を繰り返し、開閉角度が５度になったと判定された場合には、Ｓ１０５に進む。ＣＰＵ５０１は、開閉角度が５度になったと判定した時点で、タイマーによるカウントを停止する。Ｓ１０５において、ＣＰＵ５０１は、開閉角度が１５度から５度になるまでの時間Ｔ１を算出する。
【００３１】
Ｓ１０６において、ＣＰＵ５０１は、算出された時間Ｔ１が予め定められた閾値より短いか否かを判定する。ここで、予め定められた閾値より短いと判定された場合にはＳ１０７に進む。予め定められた閾値より短いと判定された場合は、つまり、ユーザのＡＤＦ１０２の閉じる速度が速いということである。その場合、Ｓ１０７において、ＣＰＵ５０１は、図７で説明する、ピックアップローラ２０３の上昇処理を実行する。
【００３２】
一方、Ｓ１０６で予め定められた閾値以上と判定された場合には、ユーザのＡＤＦ１０２の閉じる速度は遅いと判定し、ピックアップローラ２０３の落下はないと判定する。従って、その場合、ピックアップローラ２０３の上昇動作を行わずに、図６の処理を終了する。図６の処理の終了後に、ＣＰＵ５０１は、例えばスキャンジョブの実行を開始する。
【００３３】
以上のように、本実施形態では、角度検知センサ４０２及び４０３と、タイマーにより計測された時間に基づいて、衝撃の程度を判定しているが、他の構成によって衝撃の程度を判定しても良い。例えば、加速度センサ等で衝撃の程度を検知し、予め定められた閾値と比較することにより、ピックアップローラ２０３の位置制御の実行の可否を制御するようにしても良い。
【００３４】
図７は、ピックアップローラ２０３の上昇処理の手順を示すフローチャートである。Ｓ２０１において、ＣＰＵ５０１は、分離クラッチ２０８を操作して、分離ローラ２０６と搬送モータ２１０とを接続する。その結果、搬送モータ２１０によりピックアップローラ２０３の位置制御を行うことができる。
【００３５】
Ｓ２０２において、ＣＰＵ５０１は、搬送モータ２１０を、原稿搬送時とは逆方向に、回転開始する。Ｓ２０３において、ＣＰＵ５０１は、所定量分、搬送モータ２１０を回転させ、ピックアップローラ２０３を上昇させる。ここで、所定量とは、ピックアップローラ２０３が、図３（ｂ）の状態から図３（ａ）の状態に変化する量として予め定められている。
【００３６】
Ｓ２０４において、ＣＰＵ５０１は、搬送モータ２１０を所定量分回転させると、搬送モータ２１０を停止し、分離クラッチ２０８を操作して、分離ローラ２０６と搬送モータ２１０とを乖離する。その後、図７の処理を終了する。
【００３７】
本実施形態においては、画像読取装置１００として説明したが、画像読取装置１００を含んだ画像形成装置として構成しても良い。画像形成装置として、例えば多機能型周辺装置（ＭＦＰ：ＭｕｌｔｉＦｕｎｃｔｉｏｎａｌＰｅｒｉｐｈｅｒａｌ）として構成しても良い。ＭＦＰとは、スキャン機能や、印刷機能、ＦＡＸ機能等の複数の機能を一体化して構成した装置である。
【００３８】
図８は、ＭＦＰの構成を示す図である。図８のスキャナ８０５は、本実施形態の画像読取装置１００に対応する。ＣＰＵ８０１は、ＲＯＭ８０２に格納されているプログラムをＲＡＭ８０３に読み出して実行することによりＭＦＰ８００を統括的に制御する。操作部８０４は、ＬＣＤ表示パネル等の表示部と、スタートキー、テンキー等のハードキーを備える入力部とを含んで構成される。操作部８０４は、ユーザからのＭＦＰ８００の各機能の実行指示を受け付ける。
【００３９】
画像処理回路８０６は、大容量の画像メモリ、画像回転回路、解像度変倍回路、ＭＨ／ＭＲ／ＭＭＲ／ＪＢＩＧ／ＪＰＥＧなどの符号化／復号化回路等を含み、シェーディング、トリミング、マスキング等の各種画像処理を実行する。ハードディスク８０８は、ＳＣＳＩ、ＩＤＥ等の規格に準拠するインタフェースでＭＦＰ８００に接続可能な大容量記録媒体である。ネットワーク回線インタフェース（Ｉ／Ｆ）８０９は、ネットワーク回線とＭＦＰ８００とを接続する。
【００４０】
通信部８１０は、近距離無線通信を制御する。近距離無線通信とは、例えば、有効通信距離が１０ｃｍ程度の近距離無線通信（ＮＦＣ：ＮｅａｒＦｉｅｌｄＣｏｍｍｕｎｉｃａｔｉｏｎ）や、ＢｌｕｅＴｏｏｔｈ（登録商標）である。通信部８１０の構成により、例えば、スマートフォン等の携帯端末の近接操作（タッチ等）により、各種ジョブやデータ等を近距離無線通信で取得することができる。また、通信部８１０は、通信距離に応じて複数のユニットが独立に構成されるようにしても良い。例えば、通信部８１０は、ＮＦＣ通信を制御する通信部と、無線ＬＡＮ（ＷＬＡＮ）通信を制御する通信部とを別個に含むようにしても良い。
【００４１】
プリンタ８０７は、スキャナ８０５で生成された読取データや、ネットワーク回線Ｉ／Ｆ８０９を介して外部のＰＣ等から取得した画像データに基づいて、印刷用紙等の記録媒体に印刷する。プリンタ８０７は、インクジェット記録方式や電子写真記録方式等の各記録方式により記録媒体への印刷を行う。プリンタ８０７は、インクジェット記録方式の場合には記録ヘッドやインクタンク、キャリッジ等の、また、電子写真記録方式の場合には感光ドラムやビーム光学系等の印刷機構を含む。
【００４２】
ＣＰＵ８０１、ＲＯＭ８０２、ＲＡＭ８０３、操作部８０４、ハードディスク８０８、ネットワーク回線Ｉ／Ｆ８０９、通信部８１０は、システムバス８１１を介して相互に通信可能に接続されている。また、スキャナ８０５、画像処理回路８０６、プリンタ８０７は、画像データを高速に転送可能な高速イメージバス８１２を介して相互に通信可能に接続されている。バスブリッジ８１３は、システムバス８１１と高速イメージバス８１２とを接続し、両バス間におけるデータ構造の変換を行う。
【００４３】
以上のように、本実施形態によれば、ユーザによりＡＤＦ１０２が閉じられたときの衝撃の程度に応じて、ピックアップローラ２０３の上昇処理の実行を制御する。その結果、ユーザがＡＤＦ１０２をゆっくりと閉じたときのような、ピックアップローラ２０３の上昇処理が不要と考えられる場合には、ピックアップローラ２０３の上昇処理を実行しない。従って、そのような不要と考えられる場合に、上昇処理に伴うモータ音の発生や、ジョブ実行の待機などの発生を防ぐことができる。
【図１】
2017022618.tif 000003
【図２】
2017022618.tif 000004
【図３】
2017022618.tif 000005
【図４】
2017022618.tif 000006
【図５】
2017022618.tif 000007
【図６】
2017022618.tif 000008
【図７】
2017022618.tif 000009
【図８】
2017022618.tif 000010